(57)【要約】【課題】携帯電子機器の画質の低下を抑制しつつ、干渉縞の発生を抑制できる、保護シートを提供する。【解決手段】保護シート１０は、外層部１２と、保持部１８およびモスアイ構造部２０を有する中層部１４と、内層部１６とを備える。外層部１２は、携帯電子機器１００の画面１０４を保護するために板状に形成され、外層部１２の外周部は、携帯電子機器１００側に湾曲するように形成される。保持部１８は、外層部１２を保持するために外層部１２の主面に設けられる。モスアイ構造部２０は、可視光の波長よりも小さい円錐状の複数の凸部２４を有し、凸部２４が露出するように保持部１８における外層部１２とは反対側の主面に設けられる。内層部１６は、外層部１２の面方向にモスアイ構造部２０を挟みかつ外層部１２の外周部に沿って設けられ、凸部２４が画面１０４に対向するように、外層部１２を携帯電子機器１００に固定する。【選択図】図３
2020104471.tif 000002
【特許請求の範囲】
【請求項１】
携帯電子機器の画面を保護するために板状に形成される外層部、
可視光の波長よりも小さい円錐状の複数の凸部を有するモスアイ構造部を含み、かつ前記凸部が露出するように前記外層部の主面に設けられる中層部、および
前記モスアイ構造部の前記凸部が前記画面に対向するように、前記外層部を前記携帯電子機器に固定するための内層部を備える、保護シート。
【請求項２】
前記外層部の外周部は、前記外層部が前記携帯電子機器に固定された状態において前記携帯電子機器側に湾曲するように形成され、
前記内層部は、前記外層部の面方向に前記モスアイ構造部を挟みかつ前記外層部の外周部に沿って設けられる、請求項１に記載の保護シート。
【請求項３】
前記中層部は、前記外層部を保持するために前記外層部の主面に設けられる保持部をさらに有し、
前記モスアイ構造部は、前記保持部における前記外層部とは反対側の主面に設けられる、請求項１または２に記載の保護シート。
【請求項４】
前記凸部は、ナノメートルレベルのサイズを有する、請求項１から３のいずれかに記載の保護シート。
【発明の詳細な説明】
【技術分野】
【０００１】
この発明は保護シートに関し、より特定的には携帯電子機器の画面を保護するための保護シートに関する。
【背景技術】
【０００２】
この種の従来技術の一例として、特許文献１には、タブレットやスマートフォン等の携帯電子機器の画面を保護するための画面保護シートが開示されている。画面保護シートは、外面層、外面層に重なり合うように設けられる中間層、および中間層に重なり合うように設けられる貼付層を有する。中間層はいわゆるドットフィルムで構成され、中間層における外面層とは反対側の面には、複数の凸部（ドット）が形成される。画面保護シートは、中間層の複数の凸部が携帯電子機器の画面に対向するように、携帯電子機器に取り付けられる。したがって、使用者が画面保護シート越しに携帯電子機器を操作したときに、画面保護シートと携帯電子機器の画面とが接触しても、画面保護シートを携帯電子機器の画面から離れ易くできる。これによって、画面保護シートと携帯電子機器の画面とが接触することによって発生する干渉縞を消え易くできる。
【先行技術文献】
【特許文献】
【０００３】
【特許文献１】特開２０１８−１８２６４１号公報
【発明の概要】
【発明が解決しようとする課題】
【０００４】
しかしながら、特許文献１では、中間層に形成される複数の凸部が使用者に視認されてしまうため、画面保護シートを携帯電子機器に取り付けると凸部が目障りとなり、携帯電子機器の画質が低下してしまう。また、干渉縞をより消え易くするために凸部の数を多くすると、画面が白く濁ったように見え（ヘイジーになり）、携帯電子機器の画質がさらに低下してしまう。
【０００５】
それゆえにこの発明の主たる目的は、携帯電子機器の画質の低下を抑制しつつ、干渉縞の発生を抑制できる、保護シートを提供することである。
【課題を解決するための手段】
【０００６】
上述の目的を達成するために、携帯電子機器の画面を保護するために板状に形成される外層部、可視光の波長よりも小さい円錐状の複数の凸部を有するモスアイ構造部を含み、かつ凸部が露出するように外層部の主面に設けられる中層部、およびモスアイ構造部の凸部が画面に対向するように、外層部を携帯電子機器に固定するための内層部を備える、保護シートが提供される。
【０００７】
この発明では、モスアイ構造部の複数の凸部が携帯電子機器の画面に対向するように、外層部が内層部によって携帯電子機器に固定される。したがって、使用者が保護シート越しに携帯電子機器を操作したとき（保護シートが画面に向かって撓んだとき）、保護シートが画面に接触したとしても、モスアイ構造部の複数の凸部によって、保護シートを画面から離れ易くできる。これによって、保護シートと画面とが接触することによって発生する干渉縞の発生を抑制できる。また、モスアイ構造部の複数の凸部のサイズは、可視光の波長よりも小さく、使用者が視認できない程小さいので、携帯電子機器の画面が白く濁ったように見えることを抑制できる。さらに、モスアイ構造部の各凸部は円錐状に形成され、屈折率が緩やかに変化するので、モスアイ構造部は、光を反射し難く、携帯電子機器の画面が見難くなることを抑制できる。したがって、携帯電子機器の画質の低下を抑制できる。
【０００８】
好ましくは、外層部の外周部は、外層部が携帯電子機器に固定された状態において携帯電子機器側に湾曲するように形成され、内層部は、外層部の面方向にモスアイ構造部を挟みかつ外層部の外周部に沿って設けられる。この場合、画面の外周部が湾曲している場合であっても、外層部の外周部が携帯電子機器側に湾曲することによって、画面を適切に保護することができる。また、内層部が、外層部の面方向にモスアイ構造部を挟みかつ外層部の外周部に沿って設けられることによって、携帯電子機器の画質の低下を抑制しつつ干渉縞の発生を抑制できるモスアイ構造部の機能を阻害することなく、湾曲している外層部を携帯電子機器に固定できる。
【０００９】
また好ましくは、中層部は、外層部を保持するために外層部の主面に設けられる保持部をさらに有し、モスアイ構造部は、保持部における外層部とは反対側の主面に設けられる。この場合、モスアイ構造部によって、携帯電子機器の画質の低下を抑制しつつ干渉縞の発生を抑制するとともに、保持部が外層部を保持することによって、たとえ外層部が破損しても外層部の破片が飛散することを抑制できる。
【００１０】
さらに好ましくは、凸部は、ナノメートルレベルのサイズを有する。この場合、モスアイ構造部によって、より効果的に携帯電子機器の画質の低下を抑制しつつ干渉縞の発生を抑制できる。
【００１１】
この発明において「モスアイ構造部」とは、可視光の波長（４００〜８００ｎｍ）よりも小さくかつ円錐状の複数の凸部が、略１００ｎｍ〜２００ｎｍの間隔で配列されたものをいう。また、モスアイ構造部の凸部について「円錐状」とは、頂部から底面に向かって漸次太くなるように形成されている限りにおいて、頂部は曲面であってもよく、また、母線は直線に限定されず曲線であってもよい。
【発明の効果】
【００１２】
この発明によれば、携帯電子機器の画質の低下を抑制しつつ、干渉縞の発生を抑制できる、保護シートが得られる。
【図面の簡単な説明】
【００１３】
【図１】この発明の一実施形態に係る保護シート、および携帯電子機器を示す斜視図である。
【図２】図１の保護シートを示す分解斜視図である。
【図３】（ａ）は、図１の保護シートを携帯電子機器に取り付けた状態におけるＡ−Ａ線断面図解図であり、（ｂ）は、モスアイ構造部を示す拡大図解図である。
【図４】（ａ）は、比較例の保護シートを示す写真を含む図であり、（ｂ）は、図１の保護シートを示す写真を含む図である。
【図５】比較例の保護シートと図１の保護シートとを並べて携帯電子機器に取り付けた状態を示す写真を含む図である。
【図６】（ａ）は、保護シートを取り付けていない箇所、図１の保護シートを取り付けた箇所、および比較例の保護シートを取り付けた箇所の輝度を示すグラフであり、（ｂ）は、各箇所の中心の輝度を示す表である。
【発明を実施するための形態】
【００１４】
以下、図面を参照してこの発明の実施形態について説明する。この発明の実施形態における、短手方向とは図１、図２および図３（ａ）において矢印Ｘで示す方向、長手方向とは図１および図２において矢印Ｙで示す方向である。
【００１５】
図１〜図３を参照して、保護シート１０は、携帯電子機器１００の表示部１０２の画面１０４を保護するために用いられ、外層部１２、中層部１４および内層部１６を有する。この実施形態では、携帯電子機器１００はスマートフォンである。この実施形態では、表示部１０２は、ＯＬＥＤ(Organic Light Emitting Diode:有機発光ダイオード)を用いて構成され、画面１０４の外周部のうち長手方向に延びる部分は、長手方向および短手方向に直交する方向にやや湾曲する。
【００１６】
図２および図３（ａ）を参照して、外層部１２は、携帯電子機器１００の画面１０４を保護するために、長方形状かつ板状に形成される。外層部１２の短手方向の両端部は、長手方向および短手方向に直交する方向にやや湾曲する。すなわち、外層部１２の外周部のうち長手方向に延びる部分は、長手方向および短手方向に直交する方向にやや湾曲する。外層部１２は、ガラスからなり、好ましくは強化ガラスからなる。
【００１７】
中層部１４は、保持部１８およびモスアイ構造部２０を有し、凸部２４（後述）が露出するように外層部１２の一方主面に設けられる。
【００１８】
保持部１８は、長方形状かつフィルム状に形成され、外層部１２を保持するために外層部１２の一方主面の略全面に貼り付けられる。保持部１８は、エンジニアリングプラスチックからなり、好ましくはポリエチレンテレフタレート（ＰＥＴ）からなる。
【００１９】
図３（ｂ）をも参照して、モスアイ構造部２０は、基部２２および複数の凸部２４を有し、保持部１８の一方主面に設けられる。すなわち、モスアイ構造部２０は、保持部１８における外層部１２とは反対側の主面に設けられる。モスアイ構造部２０は、エンジニアイングプラスチックからなり、好ましくはポリエチレンテレフタレート、ポリカーボネートまたはアクリルからなる。基部２２は、長方形状かつフィルム状に形成される。基部２２は、保持部１８の一方主面のうち外縁部を除いた部分（図２の一点鎖線で囲まれる部分）の略全面に貼り付けられる。複数の凸部２４は、基部２２の一方主面の略全面に形成される。複数の凸部２４はそれぞれ、可視光の波長（４００〜８００ｎｍ）よりも小さいサイズを有し、基部２２に近づくにつれて漸次太くなるように円錐状に形成される。好ましくは、各凸部２４は、ナノメートルレベルのサイズを有し、複数の凸部２４は、略１００ｎｍ〜２００ｎｍの間隔で配列される。
【００２０】
内層部１６は、粘着性を有し、環状かつフィルム状に形成される。内層部１６は、好ましくは両面テープからなる。内層部１６は、保持部１８の一方主面の外縁部（図２の一点鎖線よりも外側の部分）に貼り付けられる。したがって、内層部１６は、モスアイ構造部２０を囲み、かつ外層部１２の外周部の全周に沿って設けられる。すなわち、内層部１６は、長手方向および短手方向においてモスアイ構造部２０を挟み、かつ外層部１２の外周部の全周に沿って設けられる。このように、内層部１６は、外層部１２の面方向にモスアイ構造部２０を挟み、かつ外層部１２の外周部に沿って設けられる。
【００２１】
図１〜図３を参照して、保護シート１０を携帯電子機器１００に取り付けるときには、モスアイ構造部２０の複数の凸部２４を携帯電子機器１００の画面１０４に対向させた状態で、外層部１２を携帯電子機器１００に押し付ける。これによって、内層部１６が携帯電子機器１００に貼り付き、外層部１２を携帯電子機器１００に固定することができる。外層部１２が携帯電子機器１００に固定された状態において、外層部１２の外周部のうち長手方向に延びる部分は、携帯電子機器１００側に湾曲する。保護シート１０を携帯電子機器１００から取り外すときには、外層部１２を携帯電子機器１００とは反対側に引っ張る。これによって、内層部１６が携帯電子機器１００から離れ、外層部１２を携帯電子機器１００から取り外すことができる。
【００２２】
このような保護シート１０によれば、モスアイ構造部２０の複数の凸部２４が携帯電子機器１００の画面１０４に対向するように、外層部１２が内層部１６によって携帯電子機器１００に固定される。したがって、使用者が保護シート１０越しに携帯電子機器１００を操作したとき（保護シート１０が画面１０４に向かって撓んだとき）、保護シート１０が画面１０４に接触したとしても、モスアイ構造部２０の複数の凸部２４によって、保護シート１０を画面１０４から離れ易くできる。これによって、保護シート１０と画面１０４とが接触することによって発生する干渉縞の発生を抑制できる。また、モスアイ構造部２０の複数の凸部２４のサイズは、可視光の波長よりも小さく、使用者が視認できない程小さいので、携帯電子機器１００の画面１０４が白く濁ったように見えることを抑制できる。さらに、モスアイ構造部２０の各凸部２４は円錐状に形成され、屈折率が緩やかに変化するので、モスアイ構造部２０は、光を反射し難く、携帯電子機器１００の画面１０４が見難くなることを抑制できる。したがって、携帯電子機器１００の画質の低下を抑制できる。
【００２３】
画面１０４の外周部が湾曲していても、外層部１２の外周部のうち長手方向に延びる部分が携帯電子機器１００側に湾曲することによって、画面１０４を適切に保護することができる。また、内層部１６が、外層部１２の面方向にモスアイ構造部２０を挟みかつ外層部１２の外周部に沿って設けられることによって、携帯電子機器１００の画質の低下を抑制しつつ干渉縞の発生を抑制できるモスアイ構造部２０の機能を阻害することなく、湾曲している外層部１２を携帯電子機器１００に固定できる。
【００２４】
モスアイ構造部２０によって、携帯電子機器１００の画質の低下を抑制しつつ干渉縞の発生を抑制するとともに、保持部１８が外層部１２を保持することによって、たとえ外層部１２が破損しても外層部１２の破片が飛散することを抑制できる。
【００２５】
凸部２４がナノメートルレベルのサイズを有すると、モスアイ構造部２０によって、より効果的に携帯電子機器１００の画質の低下を抑制しつつ干渉縞の発生を抑制できる。
【００２６】
図４〜図６を参照して、この発明に係る保護シート１０と、比較例の保護シート１との比較結果について説明する。
【００２７】
図４（ａ）を参照して、保護シート１の中央部分を顕微鏡で拡大すると、複数のドット（凸部）を視認することができる。一方、図４（ｂ）を参照して、保護シート１０の中央部分を顕微鏡で同様に拡大しても、モスアイ構造部２０の複数の凸部２４を視認することはできない。このように、保護シート１０の複数の凸部２４は、保護シート１のドット（凸部）よりもはるかに小さく、使用者が視認できない程小さい。
【００２８】
図５を参照して、保護シート１を携帯電子機器に取り付けた箇所と、保護シート１０を携帯電子機器に取り付けた箇所とを比較すると、保護シート１を取り付けた箇所は、保護シート１０を取り付けた箇所よりも、白く濁ったように見える。すなわち、保護シート１０を取り付けた箇所は、保護シート１を取り付けた箇所よりも、白く濁ったように見えない。したがって、保護シート１０は、保護シート１よりも、携帯電子機器の画面が白く濁ったように見える（ヘイジーになる）ことを抑制できる。
【００２９】
図６を参照して、携帯電子機器の画面の輝度を測定したところ、保護シートを取り付けていない箇所、保護シート１０を取り付けた箇所、保護シート１を取り付けた箇所の順に図面では色が薄くなり、この順で画面の輝度が小さくなった。保護シートを取り付けていない箇所の中心では３５４ｃｄであり、保護シート１０を取り付けた箇所の中心では３３９ｃｄであり、保護シート１を取り付けた箇所の中心では３１４ｃｄであった。このように、携帯電子機器の画面の輝度は、保護シート１０を取り付けるとやや低下するが、保護シート１０は、保護シート１よりも、画面の輝度が低下することを抑制できる。
【００３０】
上述した実施形態では、外層部１２の外周部のうち長手方向に延びる部分が、長手方向および短手方向に直交する方向に湾曲する場合について説明したが、これに限定されない。携帯電子機器の画面の形状に応じて、たとえば、外層部の外周部のうち短手方向に延びる部分が、長手方向および短手方向に直交する方向に湾曲してもよく、外層部の外周部の全周が、長手方向および短手方向に直交する方向に湾曲してもよい。また、外層部の外周部は、湾曲していなくてもよい。
【００３１】
上述した実施形態では、内層部１６が、外層部１２の外周部の全周に沿って設けられる場合について説明したが、これに限定されない。たとえば、内層部は、外層部１２の外周部のうち短手方向に延びる部分にのみ沿って設けられてもよく、外層部１２の外周部のうち長手方向に延びる部分にのみ沿って設けられてもよい。
【００３２】
上述の実施形態では、携帯電子機器１００がスマートフォンである場合について説明したが、これに限定されない。この発明は、携帯電子機器がタブレットである場合にも適用できる。
【符号の説明】
【００３３】
１０      保護シート
１２      外層部
１４      中層部
１６      内層部
１８      保持部
２０      モスアイ構造部
２２      基部
２４      凸部
１００      携帯電子機器
１０４      画面
Ｌ      隣り合う凸部の頂点同士の間隔
【図１】
2020104471.tif 000003
【図２】
2020104471.tif 000004
【図３】
2020104471.tif 000005
【図４】
2020104471.tif 000006
【図５】
2020104471.tif 000007
【図６】
2020104471.tif 000008